【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
リンクの情報を含む地図データが記憶された記憶部と、当該地図データが表示される表示部と、を備えた車載用情報端末において、
設定地点を受け付ける受付手段と、
前記受付手段により受け付けた前記設定地点を基準にリンクを前記地図データに基づき検索する検索手段と、
前記検索手段により検索された前記リンク上で前記設定地点まで最短距離を有する地点を前記リンク毎に検出する検出手段と、
前記検出手段により検出された前記地点から前記設定地点までの前記最短距離が、全て閾値以上であるかを判定する判定手段と、
前記判定手段により前記最短距離が閾値以上であると判定された場合に、当該閾値以上の最短距離を有する前記地点を前記表示部に出力する表示制御手段と、
を備えたことを特徴とする車載用情報端末。
【請求項２】
入力部と、
自車位置を検知する検知部と、
前記表示制御手段により前記表示部に表示された前記地点に対して、前記入力部を介したユーザからの選択を受け付ける選択判定手段と、
前記自車位置から所定地点までの経路候補を算出し、誘導案内するナビゲーション手段と、を備え、
前記ナビゲーション手段は、前記選択判定手段によりユーザからの前記入力部を介した前記地点の選択を受け付けると、前記自車位置からこの選択された地点までの経路候補を算出し、誘導案内することを特徴とする請求項１に記載の車載用情報端末。
【請求項３】
前記表示制御手段により前記表示部に表示される前記地点が複数であるかを判定する地点数判定手段を備え、
前記選択判定手段は、前記地点数判定手段により前記地点が複数であると判定された場合に、前記入力部を介したユーザからの前記地点への選択を受け付けることを特徴とする請求項２に記載の車載用情報端末。
【請求項４】
前記表示制御手段は、前記判定手段により前記閾値以上の距離を有すると判定された前記地点のうち、設定個数以下の地点を前記表示部に出力することを特徴とする請求項１〜３のいずれか１項に記載の車載用情報端末。
【請求項５】
前記表示制御手段は、前記検出手段により検出された前記地点から前記設定地点までの前記最短距離が小さい順に、前記設定個数の前記地点を前記表示部に出力することを特徴とする請求項４に記載の車載用情報端末。
【請求項６】
スクロール操作により前記表示部に表示された地図データ上で前記設定地点が前記入力部を介して設定される場合には、
前記検出手段は、前記検索手段により検索された前記リンク上で前記設定地点まで最短距離を有する地点を前記リンク毎に検出し、かつ当該検出されたリンク毎の最短距離を有する地点のうち、最も短い距離を有する地点を抽出し、
前記表示制御手段は、当該最も短い距離を有する地点を前記表示部に出力することを特徴とする請求項１又は２に記載の車載用情報端末。
【請求項７】
前記ナビゲーション手段は、前記検出手段により前記最も短い距離を有する地点が抽出された場合、又は前記表示制御手段により前記最も短い距離を有する地点が前記表示部に出力された場合に、前記自車位置からこの抽出された地点までの経路候補を算出し、誘導案内することを特徴とする請求項６に記載の車載用情報端末。
【請求項８】
リンクの情報を含む地図データが記憶された記憶部と、当該地図データが表示される表示部と、コンピュータと、を備えた車載用情報端末の制御プログラムにおいて、
前記コンピュータに、
設定地点を受け付ける受付処理と、
前記受付処理により受け付けた前記設定地点を基準にリンクを前記地図データに基づき検索する検索処理と、
前記検索処理により検索された前記リンク上で前記設定地点まで最短距離を有する地点を前記リンク毎に検出する検出処理と、
前記検出処理により検出された前記地点から前記設定地点までの前記最短距離が、全て閾値以上であるかを判定する判定処理と、
前記判定処理により前記最短距離が閾値以上であると判定された場合に、当該閾値以上の最短距離を有する前記地点を前記表示部に出力する表示制御処理と、
を実行させることを特徴とする車載用情報端末の制御プログラム。
【請求項９】
入力部と、
自車位置を検知する検知部と、を備え、
前記コンピュータに、
前記表示制御処理により前記表示部に表示された前記地点に対して、前記入力部を介したユーザからの選択を受け付ける選択判定処理と、
前記自車位置から所定地点までの経路候補を算出し、誘導案内するナビゲーション処理と、を実行させ、
前記ナビゲーション処理は、前記選択判定処理によりユーザからの前記入力部を介した前記地点の選択を受け付けると、前記自車位置からこの選択された地点までの経路候補を算出し、誘導案内することを特徴とする請求項８に記載の車載用情報端末の制御プログラム。
【請求項１０】
前記コンピュータに、前記表示制御処理により前記表示部に表示される前記地点が複数であるかを判定する地点数判定処理を実行させ、
前記選択判定処理は、前記地点数判定処理により前記地点が複数であると判定された場合に、前記入力部を介したユーザからの前記地点への選択を受け付けることを特徴とする請求項９に記載の車載用情報端末の制御プログラム。
【請求項１１】
前記表示制御処理は、前記判定処理により前記閾値以上の距離を有すると判定された前記地点のうち、設定個数以下の地点を前記表示部に出力することを特徴とする請求項８〜１０のいずれか１項に記載の車載用情報端末の制御プログラム。
【請求項１２】
前記表示制御処理は、前記検出処理により検出された前記地点から前記設定地点までの前記最短距離が小さい順に、前記設定個数の前記地点を前記表示部に出力することを特徴とする請求項１１に記載の車載用情報端末の制御プログラム。
【手続補正２】
【補正対象書類名】明細書
【補正対象項目名】発明の名称
【補正方法】変更
【補正の内容】
【発明の名称】車載用情報端末及びその制御プログラム
【手続補正３】
【補正対象書類名】明細書
【補正対象項目名】０００８
【補正方法】変更
【補正の内容】
【０００８】
本発明は、上記課題を解消するために提案されたものであって、その目的は、設定した地点が敷地面積が大きい施設等であると判定された場合に、当該設定地点周辺の所定範囲内にある最終案内地点候補をユーザに対して通知し、選択させることが可能な車載用情報端末及び制御プログラムを提供することにある。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項８の発明は、請求項１の発明をコンピュータプログラムの観点から把握したものであって、リンクの情報を含む地図データが記憶された記憶部と、当該地図データが表示される表示部と、コンピュータと、を備えた車載用情報端末の制御プログラムにおいて、前記コンピュータに、設定地点を受け付ける受付処理と、前記受付処理により受け付けた前記設定地点を基準にリンクを前記地図データに基づき検索する検索処理と、前記検索処理により検索された前記リンク上で前記設定地点まで最短距離を有する地点を前記リンク毎に検出する検出処理と、前記検出処理により検出された前記地点から前記設定地点までの前記最短距離が、全て閾値以上であるかを判定する判定処理と、前記判定処理により前記最短距離が閾値以上であると判定された場合に、当該閾値以上の最短距離を有する前記地点を前記表示部に出力する表示制御処理と、を実行させることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項９の発明は、請求項２の発明をコンピュータプログラムの観点から把握したものであって、請求項８の車載用情報端末の制御プログラムにおいて、入力部と、自車位置を検知する検知部と、を備え、前記コンピュータに、前記表示制御処理により前記表示部に表示された前記地点に対して、前記入力部を介したユーザからの選択を受け付ける選択判定処理と、前記自車位置から所定地点までの経路候補を算出し、誘導案内するナビゲーション処理と、を実行させ、前記ナビゲーション処理は、前記選択判定処理によりユーザからの前記入力部を介した前記地点の選択を受け付けると、前記自車位置からこの選択された地点までの経路候補を算出し、誘導案内することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項１０の発明は、請求項３の発明をコンピュータプログラムの観点から把握したものであって、請求項９に記載の車載用情報端末の制御プログラムにおいて、前記コンピュータに、前記表示制御処理により前記表示部に表示される前記地点が複数であるかを判定する地点数判定処理を実行させ、前記選択判定処理は、前記地点数判定処理により前記地点が複数あると判定された場合に、前記入力部を介したユーザからの前記地点への選択を受け付けることを特徴とする。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
請求項１１の発明は、請求項４の発明をコンピュータプログラムの観点から把握するものであって、請求項８〜１０のいずれか１項に記載の車載用情報端末の制御プログラムにおいて、前記表示制御処理は、前記判定処理により前記閾値以上の距離を有すると判定された前記地点のうち、設定個数以下の地点を前記表示部に出力することを特徴とする。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
請求項１２の発明は、請求項５の発明をコンピュータプログラムの観点から把握したものであって、請求項１１に記載の車載用情報端末の制御プログラムにおいて、前記表示制御処理は、前記検出処理により検出された前記地点から前記設定地点までの前記最短距離が小さい順に、前記設定個数の前記地点を前記表示部に出力することを特徴とする。
【手続補正１４】
【補正対象書類名】明細書
【補正対象項目名】００３１
【補正方法】変更
【補正の内容】
【００３１】
以上のように、本発明によれば、設定した地点がショッピングモールやゴルフ場等の敷地面積が大きい施設である場合であっても、当該設定地点周辺の複数の案内地点を最終的な案内地点候補としてユーザに対して通知することが可能な車載用情報端末及び制御プログラムを提供することができる。これにより、ユーザが通知された最終的な案内地点候補の中から所望の地点を選択することで、予期せぬ案内地点への誘導を防止でき、ユーザの希望に沿った精度の高い経路探索が可能となる。
【手続補正１５】
【補正対象書類名】明細書
【補正対象項目名】００３３
【補正方法】変更
【補正の内容】
【００３３】
［１．本実施形態］
［１．１．構成］
本実施形態では、設定した目的地座標を基準とした所定範囲内にある案内地点候補を検索し、検索された案内地点候補のうちからユーザに所望の地点を選択させることで誘導案内する車載用情報端末（以下、「本装置」と呼ぶ）を説明するもので、制御プログラムとしても把握可能であり、当該本装置の構成を図１に示す。
【手続補正１６】
【補正対象書類名】明細書
【補正対象項目名】００６２
【補正方法】変更
【補正の内容】
【００６２】
以上のような、本実施形態によれば、目的地として設定した地点がショッピングモールやゴルフ場等の敷地面積が大きい施設である場合であっても、当該設定地点周辺の複数の案内地点を最終的な案内地点候補としてユーザに対して通知することが可能な車載用情報端末及び制御プログラムを提供することができる。これにより、ユーザが通知された最終的な案内地点候補の中から所望の地点を選択することで、予期せぬ案内地点への誘導を防止でき、ユーザの希望に沿った精度の高い経路探索が可能となる。